(57)【要約】      （修正有）【課題】被写体への閃光照射機能と連続照明機能とを選択的に発揮し得るコンパクトなカメラ撮影用光選択照射装置を提供する。【解決手段】カメラ撮影用光選択照射装置１は、カメラ３１の鏡筒部３２外周に表裏選択的にかつ着脱可能に装着される環状基体２と、環状基体２の表面側内部に配置した閃光を発光する環状発光管４と、環状基体２の裏面側内部に配置した照明光を発光する環状発光素子群７と、カメラ３１のシュー部３３に着脱可能に装着されると共にシュー部３３の端子と接触する筐体側端子を備えた筐体部１６と、筐体部１６に内蔵されると共にカメラ３１のシャッタ信号を取得し環状発光管４をシャッタ信号に同期させて閃光発光させるストロボ回路部と、環状発光素子群７を点灯する照明回路部と、ストロボ回路部、照明回路部に電力供給を行う電池部と、ストロボ回路部、照明回路部の動作切り替えを行うスイッチ部と、を具備する発光制御手段３と、を有する。【選択図】図１
2009109665.tif 000002
【特許請求の範囲】
【請求項１】
カメラの鏡筒部外周に表裏選択的にかつ着脱可能に装着される表裏両端面を光透過仕様とした環状基体と、
前記環状基体の表面側内部に配置した閃光を発光する環状発光管或いは複数の直線管と、
前記環状基体の裏面側内部に配置した照明光を発光する環状発光素子群と、
前記環状発光管或いは複数の直線管、環状発光素子群の発光動作を制御する発光制御手段と、
を有することを特徴とするカメラ撮影用光選択照射装置。
【請求項２】
カメラの鏡筒部外周に表裏選択的にかつ着脱可能に装着される表裏両端面を光透過仕様とした環状基体と、
前記環状基体の表面側内部に配置した閃光を発光する環状発光管或いは複数の直線管と、
前記環状基体の裏面側内部に配置した照明光を発光する環状発光素子群と、
前記カメラのシュー部に着脱可能に装着されるとともにシュー部の端子と接触する筐体側端子を備えた筐体部と、前記筐体部に内蔵されるともに前記筐体側端子を経てカメラのシャッタ信号を取得し、前記環状発光管或いは複数の直線管を前記シャッタ信号に同期させて閃光状態で発光させるストロボ回路部と、前記筐体部に内蔵した前記環状発光素子群を点灯制御する照明回路部と、前記ストロボ回路部、照明回路部に所要の電力供給を行う電池部と、前記ストロボ回路部、照明回路部の動作切り替えを行うスイッチ部と、を具備する発光制御手段と、
を有することを特徴とするカメラ撮影用光選択照射装置。
【請求項３】
カメラの鏡筒部外周に表裏選択的にかつ着脱可能に装着される表裏両端面を光透過仕様とした環状基体と、
前記環状基体の表面側内部に配置した閃光を発光する環状発光管或いは複数の直線管と、
前記環状基体内の環状発光管或いは複数の直線管の背面側に内蔵した環状の反射鏡と、
前記環状基体の裏面側内部に配置した照明光を発光する環状発光素子群と、
前記環状基体内の環状発光素子群の背面側に内蔵した環状の反射鏡と、
前記カメラのシュー部に着脱可能に装着されるとともにシュー部の端子と接触する筐体側端子を備えた筐体部と、前記筐体部に内蔵されるともに前記筐体側端子を経てカメラのシャッタ信号を取得し、前記環状発光管或いは複数の直線管を前記シャッタ信号に同期させて閃光状態で発光させるストロボ回路部と、前記筐体部に内蔵した前記環状発光素子群を点灯制御する照明回路部と、前記ストロボ回路部、照明回路部に所要の電力供給を行う電池部と、前記ストロボ回路部、照明回路部の動作切り替えを行うスイッチ部と、前記環状発光素子群の発光光量を調節する調光ボリュームと、を具備する発光制御手段と、
を有することを特徴とするカメラ撮影用光選択照射装置。
【発明の詳細な説明】
【技術分野】
【０００１】
本発明は、光選択照射装置に関し、詳しくは、被写体への閃光照射、被写体の連続照明を選択的に行うカメラ撮影用光選択照射装置に関するものである。
【背景技術】
【０００２】
カメラ撮影用の補助光源として、閃光を発するリングストロボ、被写体を連続照明するリングライト等が用いられていることは周知の通りである。
【０００３】
しかし、従来においては、リングストロボ又はリングライトのいずれか一方の機能しか有しないものが殆どであり、これらを同時に一体構成として組み込み、適宜使い分けるようにした補助光源は見当たらない。
【０００４】
近年、リングライトの光源としてＬＥＤ（発光ダイオード）が多用されるようになっているが、ＬＥＤを用いたリングライトの場合、その発光光量がストロボに使用されるキセノンランプ等に比較し少ないため、撮影条件によってはストロボを使用したくなることが多いのが実情である。
【０００５】
上述したリングストロボにＬＥＤを組み込もうとする場合、リング状の放電管の周りにＬＥＤを配置することになるが、こうするとリングストロボの全体形状が大型化してしまう。
【０００６】
また、リングストロボの内部にＬＥＤを組み込もうとすると、リング状の放電管とＬＥＤの配置関係とが極めて難しくなる。
【０００７】
このように、従来においては、被写体への閃光（ストロボ光）照射機能と、被写体の連続照明機能とを選択的に発揮し得るようなコンパクトなカメラ撮影用光選択照射装置は存在しないのが現状である。
【０００８】
特許文献１には、円環状のケース内に複数のＬＥＤ素子を円形配置するとともに、電源である乾電池を搭載した構成のカメラ照明用リングライトが提案されている。
【０００９】
この特許文献１の構成のリングライトの場合も、仮にリングストロボ機能を組み込もうとすると、全体形状が大型化することは避けられない。
【特許文献１】特開２００３−１７７４５４号公報
【発明の開示】
【発明が解決しようとする課題】
【００１０】
本発明が解決しようとする問題点は、被写体への閃光（ストロボ光）照射機能と、被写体の連続照明機能とを選択的に発揮し得るコンパクト構成のカメラ撮影用光選択照射装置が存在しない点である。
【課題を解決するための手段】
【００１１】
本発明のカメラ撮影用光選択照射装置は、カメラの鏡筒部外周に表裏選択的にかつ着脱可能に装着される表裏両端面を光透過仕様とした環状基体と、前記環状基体の表面側内部に配置した閃光を発光する環状発光管或いは複数の直線管と、前記環状基体の裏面側内部に配置した照明光を発光する環状発光素子群と、前記環状発光管或いは複数の直線管、環状発光素子群の発光動作を制御する発光制御手段と、を有することを最も主要な特徴とする。
【発明の効果】
【００１２】
請求項１記載の発明によれば、カメラの鏡筒部外周に表裏選択的に装着される環状基体に対して、その表面側内部に閃光を発光する環状発光管或いは複数の直線管を配置し、その裏面側内部に照明光を発光する環状発光素子群を配置し、環状発光管或いは複数の直線管、環状発光素子群の発光動作を制御する発光制御手段を備えたことにより、環状基体の表裏取替えにより被写体への閃光（ストロボ光）照射機能と、被写体の連続照明機能とを選択的に発揮し得るコンパクト構成のカメラ撮影用光選択照射装置を提供することができる。
【００１３】
請求項２記載の発明によれば、請求項１記載の発明と同様な構成で、かつ、発光制御手段を、カメラのシュー部に着脱可能に装着されるとともにシュー部の端子と接触する筐体側端子を備えた筐体部と、筐体部に内蔵されるともに筐体側端子を経てカメラのシャッタ信号を取得し、環状発光管或いは複数の直線管をシャッタ信号に同期させて閃光状態で発光させるストロボ回路部と、筐体部に内蔵した環状発光素子群を点灯制御する照明回路部と、ストロボ回路部、照明回路部に所要の電力供給を行う電池部と、ストロボ回路部、照明回路部の動作切り替えを行うスイッチ部と、を具備する構成としたので、被写体への閃光（ストロボ光）照射機能と、被写体の連続照明機能とを、環状基体の表裏取替え及びスイッチ部の切り替えにより選択的に発揮し得るコンパクト構成のカメラ撮影用光選択照射装置を提供することができる。
【００１４】
請求項３記載の発明によれば、請求項２記載の発明と同様な効果を奏するとともに、環状発光管或いは複数の直線管の背面側に環状の反射鏡を内蔵し、環状発光素子群の背面側に環状の反射鏡を内蔵し、さらに、環状発光素子群の発光光量を調節する調光ボリュームを備えた構成としたので、被写体を閃光によりより明るく照明し、被写体を照明光によりより明るく照明して各々の撮影を行うことができ、かつ、被写体に対する照明光の照射光量の調節も可能なカメラ撮影用光選択照射装置を提供することができる。
【発明を実施するための最良の形態】
【００１５】
本発明は、被写体への閃光（ストロボ光）照射機能と、被写体の連続照明機能とを選択的に発揮し得るコンパクト構成のカメラ撮影用光選択照射装置を提供するという目的を有するものである。
【００１６】
本発明のカメラ撮影用光選択照射装置は、カメラの鏡筒部外周に表裏選択的にかつ着脱可能に装着される表裏両端面を光透過仕様とした環状基体と、前記環状基体の表面側内部に配置した閃光を発光する環状発光管或いは複数の直線管と、前記環状基体の裏面側内部に配置した照明光を発光する環状発光素子群と、前記カメラのシュー部に着脱可能に装着されるとともにシュー部の端子と接触する筐体側端子を備えた筐体部と、前記筐体部に内蔵されるともに前記筐体側端子を経てカメラのシャッタ信号を取得し、前記環状発光管或いは複数の直線管を前記シャッタ信号に同期させて閃光状態で発光させるストロボ回路部と、前記筐体部に内蔵した前記環状発光素子群を点灯制御する照明回路部と、前記ストロボ回路部、照明回路部に所要の電力供給を行う電池部と、前記ストロボ回路部、照明回路部の動作切り替えを行うスイッチ部と、を具備する発光制御手段と、を有する構成により上記目的を実現した。
【実施例】
【００１７】
以下に、本発明の実施例に係るカメラ撮影用光選択照射装置１について図面を参照して詳細に説明する。
【００１８】
本実施例に係るカメラ撮影用光選択照射装置１は、図１乃至図３に示すように、例えばデジタルカメラのようなカメラ３１の鏡筒部３２の外周に表裏選択的にかつ着脱可能に装着される平坦な表裏両端面を光透過仕様とした内部が空洞の環状基体２と、前記カメラ３１のシュー部３３に着脱可能に装着される発光制御手段３とを有している。前記シュー部３３には端子３４を設けている。
【００１９】
また、カメラ３１は、シャッタ３５を具備し、このシャッタ３５を操作者が押下し、被写体の撮影を行う際にシャッタ３５の押下に連動してシャッタ信号を前記端子３４に供給するようになっている。
【００２０】
前記環状基体２は、その中心部に前記鏡筒部３２に嵌合させる円形孔２ａを具備し、環状基体２を前記鏡筒部３２の外周に装着し、前記円形孔２ａの内周に設けた係合突起２ｂを前記鏡筒部３２の外周に設けた係合受部に係合させることで、鏡筒部３２の外周にぴったりと装着し得るようになっている。
【００２１】
前記環状基体２には、図３に示すように、その表面側内部に閃光を発光する環状発光管（例えば環状のキセノンランプ）４及びこの環状発光管４の背面側に位置する環状の反射鏡５を内蔵するとともに、その裏面側内部に照明光を発光する例えば白色ＬＥＤ（発光ダイオード）からなる多数の発光素子６を用いた環状発光素子群７と、環状発光素子群７の背面側に位置する環状の反射鏡８を内蔵している。前記環状発光素子群７の各発光素子６は、例えば環状の支持基板９により３６０度円形配置にかつ所定の間隔を持って配置されている。
【００２２】
また、前記環状基体２は、その表面側の端面に例えば透明樹脂板からなる環状の光透過板１０を、裏面側の端面に例えば透明樹脂板からなる環状の光透過板１１を各々具備し、これにより、前記環状基体２の表裏両端面を光透過仕様とし、前記環状基体２の表面側から環状発光管４による閃光（ストロボ光）をその前方に向けて発光し、裏面側から環状発光素子群７による照明光をその前方に向けて照射するように構成している。
【００２３】
尚、図１において１２は、前記環状基体２の外周部に設けた把持用突起である。
【００２４】
次に、前記発光制御手段３について図１、図４を参照して説明する。前記発光制御手段３は、前記カメラ３１のシュー部３３に対して装着部１７が着脱可能に装着されるとともに、この装着部１７に前記シュー部３３の端子３４と接触する筐体側端子１９（図４に示す）を備えた略直方体状の筐体部１６を具備している。前記筐体部１６と、前記環状基体２とは、ケーブル１８により接続される。
【００２５】
前記筐体部１６には、前記筐体側端子１９を経てカメラ３１のシャッタ信号を取得し、前記環状発光管４を前記シャッタ信号に同期させて閃光状態で発光させるストロボ回路部２０と、前記環状発光素子群７を点灯制御する照明回路部２１と、前記ストロボ回路部２０、照明回路部２１に所要の電力供給を行う電池部２３と、前記ストロボ回路部２０、照明回路部２１の動作切り替えを行うスイッチ部２４と、前記照明回路部２１に接続され、前記環状発光素子群７の発光光量を調節する調光ボリューム２５とを搭載している。
【００２６】
すなわち、前記ストロボ回路部２０は、前記電池部２３から印加される電圧を環状発光管４の発光に必要な高圧電圧に昇圧する昇圧回路、環状発光管４の発光を制御する発光制御回路、装着部１７に設けた筐体側端子１９を経てカメラ３１のシャッタ信号を取得するカメラ通信回路等を具備し、前記環状発光管４を前記シャッタ信号に同期させて閃光状態で発光させるように構成している。
【００２７】
前記照明回路部２１は、前記電池部２３から印加される電圧を前記環状発光素子群７の発光に必要な電圧に昇圧する昇圧回路、調光ボリューム２５の操作に応じた光量となるように前記環状発光素子群７を点灯させる点灯・調光回路等を具備している。
【００２８】
次に、本実施例に係るカメラ撮影用光選択照射装置１の動作について場合を分けて説明する。
【００２９】
（１）カメラ撮影用光選択照射装置１をストロボ態様で使用する場合
この場合には、前記環状基体２を、図１に示すように、表側を図示しない被写体側に向けた状態でカメラ３１の鏡筒部３２に装着するとともに、前記筐体部１６の装着部１７をカメラ３１のシュー部３３に装着し、筐体側端子１９を前記シュー部３３の端子３４に接触させる。また、前記スイッチ部２４をストロボ側に切り替える。
【００３０】
この状態で、操作者は前記カメラ３１を手で保持し、鏡筒部３２を被写体に向けてシャッタ３５を押下してこの被写体の撮影を行う。このとき、前記ストロボ回路部２０は、カメラ通信回路により前記筐体側端子１９を経てカメラ３１のシャッタ信号を取得するとともに、昇圧回路、発光制御回路の動作の基に前記環状発光管４をシャッタ信号に同期させて閃光状態で発光させる。
【００３１】
前記環状発光管４からの閃光は、直接及び前記反射鏡５による反射作用により被写体に対して円環状、円筒状の形態で照射され、被写体を瞬間的に明るく照明する。
これにより、操作者は、前記カメラ撮影用光選択照射装置１をストロボ態様として被写体の的確な撮影を実行することができる。
【００３２】
（２）カメラ撮影用光選択照射装置１を連続照明態様で使用する場合
この場合には、前記環状基体２を、上述した場合と同様にして、裏側を図２に示すように被写体側に向けた状態でカメラ３１の鏡筒部３２に装着するとともに、前記筐体部１６の装着部１７をカメラ３１のシュー部３３に装着する。また、前記スイッチ部２４を発光素子６側に切り替える。
【００３３】
このとき、前記照明回路部２１は、昇圧回路、点灯・調光回路の動作の基に前記調光ボリューム２５の操作量に応じた光量となるように前記環状発光素子群７の各発光素子６を各々発光させる、
【００３４】
前記環状発光素子群７からの照明光は、直接及び前記反射鏡８による反射作用により被写体に対して円環状、円筒状の形態で照射され、被写体を連続的に照明する。
【００３５】
これにより、操作者は、前記カメラ撮影用光選択照射装置１を連続照明態様として例えば被写体のスローシャッタ撮影等を実行することができる。
【００３６】
このようにして、本実施例によれば、一台のカメラ撮影用光選択照射装置１を用い、これをストロボ態様、連続照明態様のいずれかに選択的に使い分けて、被写体の閃光照射による撮影、連続照明光照射による撮影を個別的に行い、所望の被写体像を得ることができる。
【００３７】
また、本実施例に係るカメラ撮影用光選択照射装置１は、前記環状基体２の表側、裏側の各内部に、環状発光管４、環状発光素子群７を各々内蔵したものであるから、環状基体２の外形寸法が大きくなることを抑えたコンパクトな構成で上述した作用、効果を発揮させることができる。尚、本実施例では、環状発光管の例について述べたが、直線管を複数個、環状に配してもよいことはもちろんである。
【産業上の利用可能性】
【００３８】
本発明のカメラ撮影用光選択照射装置は、上述したデジタルカメラはもとより、スチールカメラ、ビデオカメラ、さらには、カメラを水中カメラケース内に内蔵し水中での撮影を行う水中カメラシステム等にも広範に応用可能である。
【図面の簡単な説明】
【００３９】
【図１】本発明の実施例に係るカメラ撮影用光選択照射装置及びカメラを示す分解斜視図である。
【図２】本実施例に係るカメラ撮影用光選択照射装置における環状基体の裏面側から見た概略斜視図である。
【図３】本実施例に係るカメラ撮影用光選択照射装置における環状基体の概略部分断面図である。
【図４】本実施例にカメラ撮影用光選択照射装置の構成を示す概略ブロック図である。
【符号の説明】
【００４０】
１    カメラ撮影用光選択照射装置
２    環状基体
２ａ  円形孔
２ｂ  係合突起
３    発光制御手段
４    環状発光管
５    反射鏡
６    発光素子
７    環状発光素子群
８    反射鏡
９    支持基板
１０    光透過板
１１    光透過板
１２    把持用突起
１６    筐体部
１７    装着部
１８    ケーブル
１９    筐体側端子
２０    ストロボ回路部
２１    照明回路部
２３    電池部
２４    スイッチ部
２５    調光ボリューム
３１    カメラ
３２    鏡筒部
３３    シュー部
３４    端子
３５    シャッタ
【図１】
2009109665.tif 000003
【図２】
2009109665.tif 000004
【図３】
2009109665.tif 000005
【図４】
2009109665.tif 000006